(57)【要約】【課題】装置本体中の空き空間を有効に利用して小型化を図る。【解決手段】用紙を収納した上側給紙トレイ１１０、下側給紙トレイ１２０がそれぞれ装置本体に水平方向に配置された上側レール部材１３１、下側レール部材１３２に案内されて出し入れ可能に配置されており、一杯に引き出されたとき、両給紙トレイ１１０、１２０が両レール部材１３１、１３２から外れて落下するのを防止する延長部１１４、１２４を備える。装置本体のレール部材１３１、１３２より奥側には、両給紙トレイ１１０、１２０を装置本体内に格納状態したとき延長部１１４、１２４が挿入される上側挿入穴１４２、下側挿入穴１４３が形成された奥側板部材１４１を備える。画像形成装置の奥側の外装カバー１０４には、画像形成装置に電力を供給するための電源プラグ１５８が挿入されるインレット部１５０が、両給紙トレイ１１０、１２０の延長部１１４、１２４の間の位置に配置される。【選択図】図５
2015125199.tif 000002
【特許請求の範囲】
【請求項１】
用紙を収納した複数の給紙トレイが上下方向に重ねて、それぞれ装置本体に水平方向に配置されたレール部材に案内されて出し入れ可能に配置されており、
前記給紙トレイは、前記給紙トレイを前記レール部材に沿って引き出したとき、前記レール部材に保持され、前記給紙トレイが前記レール部材から外れて落下するのを防止する延長部を備える画像形成装置において、
前記装置本体の前記レール部材より奥には、前記給紙トレイを前記装置本体内に格納状態したとき前記延長部が挿入される挿入穴が形成された奥側板部材を備え、
前記画像形成装置の奥側の外装には、前記画像形成装置に電力を供給するためのプラグが挿入されるインレット部が、複数の前記給紙トレイの前記延長部の間の位置に配置されることを特徴とする画像形成装置。
【請求項２】
前記奥側板部材と前記奥側の外装との間に、前記奥側板部材の挿入穴に挿入され、前記奥側板部材から飛び出る前記給紙トレイの前記延長部を囲うカバー部材を備え、
前記カバー部材に、前記インレット部から電力を供給するハーネスを案内する凹溝を形成したことを特徴とする請求項１に記載の画像形成装置。
【請求項３】
前記インレット部を保持するインレット保持部材を備え、
前記インレット保持部材は、前記画像形成装置の本体フレームに着脱自在に保持され、
前記インレット部に配置されたアース線は前記本体フレームに接続されることを特徴とする請求項１に記載の画像形成装置。
【発明の詳細な説明】
【技術分野】
【０００１】
本発明は、用紙を収納した複数の給紙トレイが上下方向に重ねられ、それぞれ装置本体に水平方向に引き出し可能に配置された画像形成装置に関する。
【背景技術】
【０００２】
画像形成装置では、用紙補充のとき装置本体から最大限に引き出した場合でも、給紙トレイが装置本体から外れて落下しないように、装置本体に配置されたレールに保持される延長部が設けられている。また、近年では画像形成装置の小型化に伴い、延長部が装置本体内部に配置された後側板に形成された挿入穴から大きく後側に突出する構成を採用することが多い。
【０００３】
図１６は従来の画像形成装置における給紙トレイの配置状態を示す模式図である。画像形成装置２００の装置本体２１０には、給紙部２２０と、電子写真式の画像形成部を備える画像形成部２７０と、交流電力が入力されるインレット部やＢＣＵ（主制御部）等の電子基板が配置される電装部２８０と配置されている。この画像形成装置２００では、画像形成部２７０を給紙部２２０の上方に、電装部２８０を給紙部２２０の奥側に設け、給紙部２２０と電装部２８０の間には後側板２２１を配置している。
【０００４】
給紙部２２０には、上下２段の給紙トレイ２３０、２４０が配置されている。給紙トレイ２３０、２４０は、装置本体２１０に水平方向に沿って配置されたレール部材２５０、２６０に沿って抜き出せるように構成される。そして、給紙トレイ２３０、２４０には、トレイ本体２３１、２４１から奥側にむけ延長部２３２、３４２が配置されている。この延長部２３２、３４２は、給紙トレイ２３０、２４０が装置本体２１０に収納されたとき、後側板２２１に開設された挿入穴２２２、２２３に挿入され電装部２８０側に突出する。図１５（ａ）中、給紙トレイ２３０は装置本体２１０内に収納された状態、給紙トレイ２４０は装置本体２１０から引き出した状態を示している。給紙トレイ２４０が装置本体２１０から引き出された状態でも、延長部２４２がレール部材２５０で保持され装置本体２１０から外れない。
【０００５】
このような、画像形成装置２００では、ユーザーが給紙トレイ２３０、２４０を装置本体２１０から抜き去って、手指を給紙部２２０の内部に差し込んだとき、後側板２２１に設けられた挿入穴２２２から後側板２２１の裏側、すなわち電装部２８０に手指が入り電子基板等に触れてしまうことがある。このため、安全上の理由でその穴および延長部２３２、３４２を覆うような合成樹脂で一体成型されたカバー部材２９０、２９０が配置される。
【０００６】
ここで、画像形成装置の小型化に伴って、電子基板、電源入力用のインレット部等の電子部品を設置するための空間が減少している。画像形成装置の小型化の過程においては、まず必須の空間、すなわち給紙トレイ、紙搬送経路、画像形成部等の空間を優先的に確保した後、残りの空間に電子基板などを配置するのが一般的である。このように小型化が進むと、給紙トレイの延長部が、装置本体後方の外装カバー近傍まで空間を占めてしまうことがあり、電子部品の設置空間は非常に限られる。
【０００７】
このように、電子部品を配置する空間自体が減少しているので、例えばインレット部から電源ユニットまでを結ぶ１次ハーネスと、その他２次ハーネスも他の部材とが接触してしまう可能性があり、レイアウトによっては１次ハーネスを２重被服する場合がある。
【０００８】
また、インレット部の配置は先に述べたように周囲の２次ハーネスとの位置関係に関連し、可能であればインレット部の近くに２次ハーネスを配置しないことが望ましい。これにより、１次ハーネスを２重被服しなくて済むためコスト面で優れる。一方で近傍に電子基板を配置すると１次ハーネスおよび２次ハーネスが接触する危険があるため、レイアウト上での制約が発生する。
【０００９】
このため、インレット部は、電源コードを画像形成装置の装置本体の外側、例えば外装カバーの外側から接続するため、外装カバー面からへこんだ凹部に設置される。すなわち、電源コードを差し込んだ際に、コードの取手部分が装置本体の外装カバー面よりも外側に出ていると、移動する際に引っかけてしまったりしてインレット部が故障したり、あるいは設置箇所の壁や什器を破損させたりすることがある。このため、インレット部を設置する箇所は、その裏側に配置される空間が狭くなってしまい、その利用用途に関しても限定的になる。
【００１０】
給紙トレイサイズを紙種類によって自在に調節し、マシン小型化および操作性を向上するため、特許文献１には、装置本体の内外へ出し入れ自在に支持され、かつ互いに接近離間自在に連結されて収容する用紙サイズに応じて前後方向全長を伸縮自在に構成されたトレイ前部材およびトレイ後部材を備えた給紙トレイと、を備え、装置本体内には、少なくとも装置本体後面から突出するトレイ後部材の上部開口を閉止する給紙トレイカバーを前後方向へ進退自在に設け、前記給紙トレイカバーは、装置本体側に支持された引っ張りスプリングによって常時前方へ押し付けられ、かつ、装置本体内に設けたガイドレールによりトレイ後部材に連動して前後方向へ移動可能に支持されている画像形成装置が開示されている。
【発明の概要】
【発明が解決しようとする課題】
【００１１】
しかし、従来の画像形成装置では、１次ハーネスや２次ハーネスが接触してしまう箇所に関してガイド部品や２重被服を採用して接触を回避しなければならず、レイアウト上の空き空間を効率的に活用できず、電子基板配置や他の部品の配置に関して限定的となってしまう。このため、コストダウンや小型化を進める過程に影響を及ぼしてしまうという問題があった。また、特許文献１に記載のものも、装置本体内部の空き空間を効率的に活用できないという問題がある。
【００１２】
そこで、本発明は、装置本体中の空き空間を有効に利用して小型化を図ることができる画像形成装置を提供することを目的とする。
【課題を解決するための手段】
【００１３】
本発明に係る画像形成装置は、用紙を収納した複数の給紙トレイが上下方向に重ねて、それぞれ装置本体に水平方向に配置されたレール部材に案内されて出し入れ可能に配置されており、前記給紙トレイは、前記給紙トレイを前記レール部材に沿って引き出したとき、前記レール部材に保持され、前記給紙トレイが前記レール部材から外れて落下するのを防止する延長部を備える画像形成装置において、前記装置本体の前記レール部材の内側端部より奥側には、前記給紙トレイを前記装置本体内に格納状態したとき前記延長部が挿入される挿入穴が形成された奥側板部材を備え、前記画像形成装置の奥側の外装には、前記画像形成装置に電力を供給するためのプラグが挿入されるインレット部が、複数の前記給紙トレイの前記延長部の間の位置に配置されることを特徴とする。
【発明の効果】
【００１４】
本発明によれば、インレット部を複数配置された給紙トレイの延長部の間の空間に配置するので、空き空間を効率的に活用できる小型化を図ることができる。
【図面の簡単な説明】
【００１５】
【図１】本発明に係る画像形成装置実施形態に係る画像形成装置に使用する給紙トレイを示す斜視図である。
【図２】同給紙トレイの延長部が貫通する後板部を示す画像形成装置の前方からの斜視図である。
【図３】同給紙トレイの延長部が貫通する後板部を示す画像形成装置の後方からの斜視図である。
【図４】同実施形態に係る画像形成装置のカバー部材、電子基板およびインレット部を示す後方からの斜視図である。
【図５】同画像形成装置のインレット部、電子基板、１次ハーネス、および２次ハーネスの配置状態を示す後方からの斜視図である。
【図６】同画像形成装置のインレット部、１次ハーネス、およびカバー部材の配置状態を示す斜視図である。
【図７】同画像形成装置のインレット部、１次ハーネス、およびカバー部材の配置状態を示す後方からの一部を切断して示す斜視図である。
【図８】同画像形成装置のインレット部、１次ハーネス、およびカバー部材の配置状態を示す断面図である。
【図９】同画像形成装置のインレット部、１次ハーネス、電源ユニットおよびカバー部材を示す後方個法からの斜視図である。
【図１０】同画像形成装置の１次ハーネスおよび電源ユニットを示す側方からの斜視図である。
【図１１】同画像形成装置の２つの給紙トレイに間に形成される空間部を示す模式図である。
【図１２】同画像形成装置の２つの給紙トレイに間に配置されたインレット部を示す模式図である。
【図１３】同画像形成装置の２つの給紙トレイに間に配置されたカバー部材およびインレット部を示す模式図である。
【図１４】同画像形成装置におけるインレット部の装置本体への取り付け状態を示す斜視図である。
【図１５】同画像形成装置のインレット部が配置される外装部材の形状を示す斜視図である。
【図１６】従来の画像形成装置における給紙トレイの配置状態を示す模式図である。
【発明を実施するための形態】
【００１６】
本発明を実施するための形態に係る画像形成装置について説明する。まず、実施形態に係る画像形成装置の特徴を簡単に説明する。画像形成装置は、画像形成装置のインレット部を、２段に重ねて配置した給紙トレイの１段目および２段目の落下防止用の延長部の間に配置する。有効に活用されていない空間にインレット部を配置できるので、空間を効率的に活用でき、画像形成装置の小型化が図れる。
【００１７】
また、画像形成装置の用紙トレイが配置される給紙部の奥側の後側板に開設された給紙トレイ落下防止用の延長部が貫通する挿入穴をふさぐカバー部材に、凹溝とガイド部を設ける。凹溝にはインレット部からの１次ハーネスを通過させ、ガイド部で１次ハーネスを案内する。これにより、１次ハーネスと２次ハーネスとの接触を防止でき、１次ハーネスに２重被服等を用いる必要がなくなる。
【００１８】
以下、本発明に係る画像形成装置の実施形態に係る画像形成装置について説明する。実施形態に係る画像形成装置１００は、従来例で示した画像形成装置２００と基本的に同じ構造を備える。すなわち画像形成装置１００は、給紙部に上下２段の給紙トレイを備える。また、給紙部の上側には公知、例えば電子写真方式の画像形成部を備える。また、給紙部の奥には後側板を隔てて電装部を配置する。
【００１９】
次に、本発明に係る画像形成装置の実施形態に係る画像形成装置に使用する給紙トレイについて説明する。図１は本発明に係る画像形成装置実施形態に係る画像形成装置に使用する給紙トレイを示す斜視図、図２は同給紙トレイの延長部が貫通する後板部を示す画像形成装置の前方からの斜視図である。また、図３は同給紙トレイの延長部が貫通する後板部を示す画像形成装置の後方からの斜視図である。
【００２０】
実施形態に係る画像形成装置１００は、上側給紙トレイ１１０、下側給紙トレイ１２０を備えている。上側給紙トレイ１１０および下側給紙トレイ１２０は上下に重なるように画像形成装置１００の給紙部１３０に配置される。上側給紙トレイ１１０はトレイ本体１１１に例えば最大Ａ３サイズの複数枚の用紙を重ねた用紙束を格納する。トレイ本体１１１には、用紙のサイズにあわせて位置決めをする可動壁１１２、１１３が配置されている。また、上側給紙トレイ１１０の奥側の幅方向の両端には、延長部１１４、１１４が形成されている。なお、下側給紙トレイ１２０は上述した上側給紙トレイ１１０と同一の構成を備える。すなわち下側給紙トレイ１２０は、トレイ本体１２１、可動壁１２２、１２３、延長部１２４、１２４を備える。
【００２１】
図２および図３に示すように、画像形成装置１００の給紙部１３０には、上側給紙トレイ１１０を案内する一対の上側レール部材１３１、１３１と、下側給紙トレイ１２０を案内する一対の下側レール部材１３２、１３２とが設けられている。なお、図２および図３には、それぞれ一方の側の上側レール部材１３１および下側レール部材１３２だけが示されている。ユーザーが給紙を行うとき、延長部１１４、１１４は、上側給紙トレイ１１０が一杯に引き出されても、上側レール部材１３１、１３１に支持され、上側給紙トレイ１１０は画像形成装置１００から外れ落ちない。下側給紙トレイ１２０も同様である。
【００２２】
給紙部１３０には、この給紙部１３０の上側レール部材１３１、１３１および下側レール部材１３２より奥側には、電装部１４０との間を区切る奥側板部材１４１が配置されている。奥側板部材１４１には、上側給紙トレイ１１０を格納状態としたとき、延長部１１４、１１４が挿入される挿入穴である上側挿入穴１４２、１４２、および下側給紙トレイ１２０の延長部１２４、１２４が挿入される下側挿入穴１４３、１４３が開設されている。なお、図２には、一方の側の上側挿入穴１４２および下側挿入穴１４３、１４３だけが示されている。
【００２３】
上側給紙トレイ１１０および下側給紙トレイ１２０を画像形成装置１００内に収納したとき、上側給紙トレイ１１０の延長部１１４、１１４から電装部１４０側に進入して飛び出る。同様に、下側給紙トレイ１２０の延長部１２４、１２４は、下側挿入穴、１４３、１４３から電装部１４０側に侵入し飛び出る。また、電装部１４０には、画像形成装置１００に交流電力を供給するプラグが挿入されるインレット部１５０が配置されている。インレット部１５０は、インレット保持部材１５５を介して本体フレーム１０１に取り外し可能に配置されている。インレット部１５０からは、１次ハーネス１５１が配置されている。なお、符号１５２は電子基板を示している。
【００２４】
次に挿入穴２２２、２２３とこの挿入穴２２２、２２３に挿入された延長部１１４、１２４とを覆うカバー部材について説明する。図４は同実施形態に係る画像形成装置のカバー部材、電子基板およびインレット部を示す後方からの斜視図である。図４（ａ）はカバー部材を取り付けた状態、図４（ｂ）はカバー部材を取り外した状態を示している。
【００２５】
カバー部材１６０は、２つが奥側板部材１４１に配置されている。一方（図４（ａ）中右側）のカバー部材１６０は、一方側に配置された上側挿入穴１４２、下側挿入穴１４３および挿入された延長部１１４、１２４を覆うように上下方向に延びて形成される。同様に他方のカバー部材は他方側に配置された上側挿入穴１４２、下側挿入穴１４３および挿入された延長部１１４、１２４を覆うように上下方向に延びて形成される。２つのカバー部材１６０、１６０は合成樹脂で一体成型された部材である。
【００２６】
カバー部材１６０、１６０により、下側給紙トレイ１２０と、電装部１４０とは隔離される。これにより、ユーザーが上側給紙トレイ１１０や下側給紙トレイ１２０を引き抜いて電装部１４０内に手を入れたとしても、奥側板部材１４１の裏側に設置された電装部１４０の電子基板１５２等に触れることを防止できる。
【００２７】
次にインレット部１５０から配置される１次ハーネス１５１について説明する。図５は同画像形成装置のインレット部、電子基板、１次ハーネス、および２次ハーネスの配置状態を示す後方からの斜視図である。インレット部１５０は、一方のカバー部材１６０の直後に配置される。インレット部１５０は、画像形成装置１００の本体フレーム１０１にねじ止めされたインレット保持部材１５５に保持される。ここで、電子基板１５２は中央に配置されており、多数本の２次ハーネス１５３が接続されている。なお、符号１０２は電源ユニット１５６等が固定される電装ラックを示している。
【００２８】
図６は同画像形成装置のインレット部、１次ハーネス、およびカバー部材の配置状態を示す斜視図、図７は同画像形成装置のインレット部、１次ハーネス、およびカバー部材の配置状態を示す後方からの一部を切断して示す斜視図である。図６（ａ）は後方からの斜視図、同（ｂ）は側方からの斜視図である。実施形態に係る画像形成装置１００では、カバー部材１６０には、１次ハーネス１５１を配置する凹溝１６１を設けている。また、この凹溝１６１には、凹溝１６１内の１次ハーネス１５１を保持する保持爪部１６２を形成している。インレット部１５０およびインレット部１５０からの１次ハーネス１５１は、カバー部材１６０の凹溝１６１内に配置される。凹溝１６１は、カバー部材１６０の内側に水平方向に沿って配置される。
【００２９】
また、１次ハーネス１５１は、保持爪部１６２で位置が固定される。なお、インレット部に設けたアース線１５４は、本体フレーム１０１にアース線取り付けねじ１７３で接続されている。図７に本箇所の断面図を示す。なお、図７にはカバー部材１６０に設けた凹溝１６１に、インレット部からの１次ハーネス１５１だけが通過しているように示している。１次ハーネスは、こしが強いため、本実施形態では１次ハーネスだけを凹溝１６１に通過させているが、凹溝１６１の中にインレット部１５０自体が入るように配置することができる。
【００３０】
次に電子基板１５２と１次ハーネス１５１との位置関係について説明する。図８は同画像形成装置のインレット部、１次ハーネス、およびカバー部材の配置状態を示す断面図である。電子基板１５２はインレット保持部材１５５に取り付けられている。インレット保持部材１５５は、本体フレーム１０１に着脱自在に固定される。カバー部材１６０の凹溝１６１を通過した１次ハーネス１５１は、奥側板部材１４１の背面を通過する。この場合、電子基板１５２の背面の空間Ａには２次ハーネス１５３が配置されていないため、１次ハーネス１５１には被服やガイド部材は必要なく、簡単なクランプ等の追加だけで安全性を確保できる。
【００３１】
次に１次ハーネス１５１と電源ユニット１５６との位置関係について説明する。図９は同画像形成装置のインレット部、１次ハーネス、電源ユニットおよびカバー部材を示す後方個法からの斜視図である。また、図１０は同画像形成装置の１次ハーネスおよび電源ユニットを示す側方からの斜視図である。１次ハーネス１５１は図８で示した２次ハーネス１５３が配置されていない領域を電源ユニット１５６に向かって配置される。図９中では電源ユニット１５６は後の機器左側面に配置している（図１０参照）。なお、符号１０３は外装カバーに形成された取手部を示している。このため、１次ハーネス１５１が機器前側へ周囲にヘミング加工が施されたハーネス貫通穴１５７を通過して配置される。しかし、電源ユニット１５６の位置は図９および図１０に示したような位置に限らず、２次ハーネスを回避させながら配置することができる箇所であれば、機器のどこに配置していても良い。
【００３２】
図１０に示すように、機器左側面に電源ユニット１５６を配置した場合、１次ハーネス１５１は図示したような経路で電源ユニット１５６に接続される。このように、１次ハーネス１５１は、２次ハーネス１５３とは完全に隔離された経路をとっており、２重被服やガイド部材等を設置することなく１次ハーネス１５１を配置できる。
【００３３】
次にインレット部１５０とカバー部材１６０との位置関係について説明する。図１１は同画像形成装置の２つの給紙トレイに間に形成される空間部を示す模式図、図１２は同画像形成装置の２つの給紙トレイに間に配置されたインレット部を示す模式図である。また、図１３は同画像形成装置の２つの給紙トレイに間に配置されたカバー部材およびインレット部を示す模式図である。
【００３４】
図１１に示すように、上側給紙トレイ１１０と下側給紙トレイ１２０との間には空間Ｓが存在している。なお、図中１５８は、インレット部１５０に挿入される電源プラグを示している。実施形態に係る画像形成装置１００では、図１２に示すように、この空間Ｓにインレット部１５０を設置する。そして、図１３に示すように、カバー部材１６０を配置し、カバー部材１６０に形成した凹溝１６１に１次ハーネス１５１を配置する。
【００３５】
次にインレット部１５０の本体フレーム１０１への取り付けについて説明する。図１４は同画像形成装置におけるインレット部の装置本体への取り付け状態を示す斜視図である。インレット部１５０は、インレット保持部材１５５を用いて本体フレーム１０１にねじ締結されている。インレット保持部材１５５は、引っかけ突起部１７１、１７１を本体フレーム１０１の長穴に引っかけて、ねじ１７２、１７２で本体フレーム１０１に固定されている。
【００３６】
インレット保持部材１５５は、ねじ１７２、１７２を取り外すことで本体フレーム１０１に着脱可能である。このとき、図６で示したようにインレット部１５０からのアース線１５４は、本体フレーム１０１に接続されている。アース線１５４は、組立工場において耐圧試験を行い、メーカーとしてアース接続を保証している。このため、インレット部１５０およびインレット保持部材１５５を着脱する際に、アース線１５４をアース線取り付けねじ１７３を緩めて取り外したりすると、保証がなくなってしまう。このため、アース線１５４はインレット保持部材１５５およびインレット保持部材１５５が本体フレーム１０１から取り外されたとしても、本体フレーム１０１（必ず固定されている部品）に固着されている必要がある。このため、カバー部材１６０が破損した場合、インレット保持部材１５５およびインレット保持部材１５５が本体フレーム１０１から着脱可能であるので、交換作業性が良くなる。
【００３７】
次にインレット部１５０の画像形成装置１００の外装部材への配置状態について説明する。図１５は同画像形成装置のインレット部が配置される外装部材の形状を示す斜視図である。実施形態に係る画像形成装置１００において、インレット部１５０を装置本体に配置する場合、インレット部１５０の差込口近傍の外装カバー１０４には凹部１０５を設ける。この状態は従来技術と同じである。なお、図１５中符号１０６は側面外装パネル、１０７は各種ケーブルの接続部を示している。
【００３８】
凹部１０５を設けないで、外装カバー１０４の表面にインレット部１５０を配置すると、電源コードが接続された電源プラグ１５８をインレット部１５０に差し込んだとき、外装カバー１０４から電源コードが出てしまう。このため、例えば機器を移動の際に引っかけて、インレット部１５０の故障、あるいは客先の壁や什器の破損を起こすこととなる。実施形態に係る画像形成装置によれば、インレット部１５０が凹部１０５内に入り込んでいるため、このような事態を防止できる。
【符号の説明】
【００３９】
１００：画像形成装置
１０１：本体フレーム
１０２：電装ユニット
１０３：取手部
１０４：外装カバー
１０５：凹部
１０６：側面外装カバー
１１０：上側給紙トレイ
１１１：トレイ本体
１１２、１１３：可動壁
１１４：延長部
１２０：下側給紙トレイ
１２１：トレイ本体
１２２、１２３：可動壁
１２４：延長部
１３０：給紙部
１３１：上側レール部材（レール部材）
１３２：下側レール部材（レール部材）
１４０：電装部
１４１：奥側板部材
１４２：上側挿入穴
１４３：下側挿入穴
１５０：インレット部
１５１：１次ハーネス
１５２：電子基板
１５３：２次ハーネス
１５４：アース線
１５５：インレット保持部材
１５６：電源ユニット
１５７：ハーネス貫通穴
１５８：電源プラグ
１６０：カバー部材
１６１：凹溝
１６２：保持爪部
１７１：突起部
１７２：取り付けねじ
１７３：アース線取り付けねじ
【先行技術文献】
【特許文献】
【００４０】
【特許文献１】特開２００３−１９２１５２公報
【図１】
2015125199.tif 000003
【図２】
2015125199.tif 000004
【図３】
2015125199.tif 000005
【図４】
2015125199.tif 000006
【図５】
2015125199.tif 000007
【図６】
2015125199.tif 000008
【図７】
2015125199.tif 000009
【図８】
2015125199.tif 000010
【図９】
2015125199.tif 000011
【図１０】
2015125199.tif 000012
【図１１】
2015125199.tif 000013
【図１２】
2015125199.tif 000014
【図１３】
2015125199.tif 000015
【図１４】
2015125199.tif 000016
【図１５】
2015125199.tif 000017
【図１６】
2015125199.tif 000018